(57)【要約】  本発明の掃除機は、空気と埃を案内する吸入部と、前記吸入部を通じて吸入された空気と埃を分離させる第１サイクロン部と、前記第１サイクロン部から排出された空気から埃を分離させる第２サイクロン部とを備える本体と、前記本体内で前記第１サイクロン部で分離された埃が貯蔵される第１埃貯蔵部と、前記第２サイクロン部で分離された埃が貯蔵される第２埃貯蔵部を区画するガイドユニットと、を含み、前記ガイドユニットは、前記本体に分離可能に結合され、前記ガイドユニットが前記本体から分離されると、前記第２サイクロン部の埃排出部が外部に露出する。
2019523118.tif 000002
【特許請求の範囲】
【請求項１】
空気と埃を案内する吸入部と、
前記吸入部を通じて吸入された空気と埃を分離させる第１サイクロン部と、前記第１サイクロン部から排出された空気から埃を分離させる第２サイクロン部とを備える本体と、
前記本体内で前記第１サイクロン部で分離された埃が貯蔵される第１埃貯蔵部と、前記第２サイクロン部で分離された埃が貯蔵される第２埃貯蔵部を区画するガイドユニットと、を備えてなり、
前記ガイドユニットは、前記本体に分離可能に結合され、前記ガイドユニットが前記本体から分離されると、前記第２サイクロン部の埃排出部が外部に露出される、掃除機。
【請求項２】
前記本体は、前記第１埃貯蔵部を形成するダストボックスを備え、
前記ダストボックスは、排出開口を備え、
前記ガイドユニットは、前記排出開口を通じて前記ダストボックスの下方に分離される、請求項１に記載の掃除機。
【請求項３】
前記ガイドユニットは、
前記第１サイクロン部で埃と分離された空気が前記第２サイクロン部に流動する過程で空気をフィルタリングし、前記第２サイクロン部を取囲むフィルタ部と、
前記フィルタ部の下側に連結され、前記ダストボックス内で前記第２埃貯蔵部を形成する貯蔵ユニットとを備えてなる、請求項２に記載の掃除機。
【請求項４】
前記第２サイクロン部には、シール部材が備えられ、
前記貯蔵ユニットは、前記シール部材と接触するための接触リブを備えてなる、請求項３に記載の掃除機。
【請求項５】
前記第２サイクロン部は、前記シール部材が結合されるシール部材結合部を備え、
前記シール部材結合部は、前記第２サイクロン部の埃排出部が貫通するように前記第２サイクロン部に配置され、
前記シール部材結合部の下側には、前記シール部材が嵌着されるシール部材嵌着溝が形成され、
前記接触リブは、前記シール部材の下面に接触する、請求項４に記載の掃除機。
【請求項６】
前記シール部材及び前記接触リブのそれぞれは、リング状に形成され、
前記接触リブが前記シール部材の下面に接触した状態で、前記第２サイクロン部の埃排出部は、前記接触リブが形成する領域内に位置される、請求項５に記載の掃除機。
【請求項７】
前記貯蔵ユニットは、前記フィルタ部と結合されるインナーボディと、前記インナーボディを取囲むアウターボディとを備えてなる、請求項４に記載の掃除機。
【請求項８】
前記第２サイクロン部の埃排出部及び前記シール部材は、前記インナーボディの内側に位置され、
前記結合リブは、前記インナーボディから突出する、請求項７に記載の掃除機。
【請求項９】
前記インナーボディと前記アウターボディとの間に備えられる１つ以上のシーラーを更に備えてなる、請求項７に記載の掃除機。
【請求項１０】
前記フィルタ部は、複数の開口を備えたフィルタボディと、前記複数の開口をカバーするメッシュ部とを備え、
前記第２サイクロン部の空気入口は、前記フィルタ部の内側に位置される、請求項３に記載の掃除機。
【請求項１１】
前記フィルタ部は、前記フィルタ部の上端から外側に延長される掃除部を更に備えてなる、請求項３に記載の掃除機。
【請求項１２】
前記掃除部は、前記フィルタ部から水平方向または上方に傾斜するように延長され、
前記掃除部の端部は、前記第１埃貯蔵部の内周面に接触するか、前記第１埃貯蔵部の内周面と隣接するように位置される、請求項１１に記載の掃除機。
【請求項１３】
前記本体は、前記第２サイクロン部から排出された空気を案内する排出ガイドを更に備え、
前記フィルタ部は、前記排出ガイドに分離可能に結合される、請求項３に記載の掃除機。
【請求項１４】
前記排出ガイドは、前記フィルタ部と結合されるための第１結合部を備え、
前記フィルタ部は、前記第１結合部と結合されるための第２結合部を備え、
前記フィルタ部の回転動作によって、前記第１結合部と前記第２結合部の結合が完了するように、前記第２結合部は、前記第１結合部が収容される第１溝と、前記第１結合部が前記第１溝に収容される方向と交差する方向に前記第１溝から延長される第２溝とを備えてなる、請求項１３に記載の掃除機。
【請求項１５】
前記ガイドユニットは、前記ダストボックスの内周面に向かって延長される掃除部を更に備えてなる、請求項２に記載の掃除機。
【請求項１６】
前記第２サイクロン部の空気入口は、前記吸入部の長さ方向の軸より低く位置する、請求項１に記載の掃除機。
【請求項１７】
空気と埃を案内する吸入部と、
前記吸入部を通じて吸入された空気と埃を分離させる第１サイクロン部と、前記第１サイクロン部から排出された空気から埃を分離させる第２サイクロン部とを備える本体と、
前記第２サイクロン部に設置されるシール部材と、
前記本体に分離可能に結合されるガイドユニットと、を備えてなり、
前記ガイドユニットは、前記本体と結合された状態で、前記第２サイクロン部の少なくとも一部をカバーし、
前記ガイドユニットは、前記本体と結合された状態で、前記シール部材に接触する接触リブを備えてなる、掃除機。
【請求項１８】
前記ガイドユニットが前記本体から分離されると、前記第２サイクロン部の埃排出部が外部に露出する、請求項１７に記載の掃除機。
【請求項１９】
前記ガイドユニットは、前記第１サイクロン部で一次的に埃と分離された空気が通過するための開口を備えてなる、請求項１７に記載の掃除機。
【請求項２０】
前記ガイドユニットは、前記第２サイクロン部から排出された埃を貯蔵する埃貯蔵部を形成する、請求項１７に記載の掃除機。
【請求項２１】
掃除機であって、
空気と埃を案内する吸入部と、
前記吸入部を通じて吸入された空気と埃を分離させる第１サイクロン部と、前記第１サイクロン部から排出された空気から埃を分離させる第２サイクロン部とを備える本体と、
前記本体内で前記第１サイクロン部で分離された埃が貯蔵される第１埃貯蔵部と、前記第２サイクロン部で分離された埃が貯蔵される第２埃貯蔵部を区画するガイドユニットと、を備えてなり、
前記ガイドユニットは、前記本体に分離可能に結合され、
前記ガイドユニットは、前記第１埃貯蔵部の内周面に向かって延長される掃除部を備えてなる、掃除機。
【発明の詳細な説明】
【技術分野】
【０００１】
本発明は、掃除機に関するものである。
【背景技術】
【０００２】
掃除機は、掃除対象領域の埃や異物を吸入したり拭いて掃除を行う機器である。
【０００３】
このような掃除機は、使用者が直接掃除機を移動させながら掃除を行う手動掃除機と、自ら走行しながら掃除を行う自動掃除機とに区分することができる。
【０００４】
また、手動掃除機は、掃除機の形態に応じて、キャニスター型掃除機、アップライト型掃除機、ハンディ型掃除機、スティック型掃除機等に区分することができる。
【０００５】
先行文献である韓国公開特許公報第１０‐２００９‐００２６２０９号(公開日２００９.０３.１１.)には、遠心分離装置が開示される。前記遠心分離装置は、ハンドヘルド掃除機の一部を構成する。
【０００６】
前記遠心分離装置は、壁を有するサイクロンと、前記サイクロンの一端を閉鎖するベースを含む。
【０００７】
前記サイクロン内部には蓋が備えられる。前記蓋は、複数の貫通孔を有する円筒状壁と、前記円筒状壁の内側に位置される内壁を含む。
【０００８】
前記遠心分離装置は、追加的なサイクロンアセンブリをさらに含み、追加的なサイクロンアセンブリは円錐状開口部を含む。前記円錐状開口部は、前記蓋の内壁を貫通するように配置され、内壁が形成する通路と連通する。
【０００９】
そして、前記通路の下側には、集塵機が配置される。前記集塵機の内部は、前記ベースによって囲まれる。
【００１０】
前記追加的なサイクロンアセンブリによって空気から埃が分離されるが、前記追加的なサイクロンアセンブリによって分離される埃が円錐状開口部を塞いでしまうことがある。この場合、前記円錐状開口部の掃除が必要である。
【００１１】
ところが、先行文献では、前記ベースが回転して前記集塵機内部を開放しても、前記集塵機の上側に位置された蓋内に前記円錐状開口部が位置されることで、使用者が円錐状開口部に接近に難い問題がある。
【発明の概要】
【発明が解決しようとする課題】
【００１２】
本発明の目的は、第２サイクロン部が本体内に位置された状態で、第２サイクロン部の埃排出部の掃除が可能な掃除機を提供することにある。
【００１３】
また、本発明の目的は、第２サイクロン部に空気を案内するガイドユニットを本体から分離する場合、第２サイクロン部の埃排出部が外部に露出して、埃排出部の掃除が容易な掃除機を提供することにある。
【００１４】
また、本発明の目的は、ガイドユニットが本体に装着された状態では、ガイドユニットと第２サイクロン部の接触部におけるシールが維持される掃除機を提供することにある。
【００１５】
また、本発明の目的は、第２サイクロン部に空気を案内するガイドユニットを本体から分離される過程で、ダストボックス内の髪の毛のような異質物がダストボックスの外部に容易に排出される掃除機を提供することにある。
【課題を解決するための手段】
【００１６】
上記のような目的を達成するための本発明の掃除機は、空気と埃を分離させる第１サイクロン部と、前記第１サイクロン部から排出された空気から埃を分離させる第２サイクロン部とを備える本体と、前記本体内で前記第１サイクロン部で分離された埃が貯蔵される第１埃貯蔵部と、前記第２サイクロン部で分離された埃が貯蔵される第２埃貯蔵部を区画するガイドユニットとを含むことができる。
【００１７】
前記ガイドユニットは、前記本体に分離可能に結合される。前記ガイドユニットが前記本体に結合されると、前記ガイドユニットは、前記第２サイクロン部をカバーすることができる。
【００１８】
前記ガイドユニットが前記本体から分離されると、前記第２サイクロン部の埃排出部が外部に露出する。
【００１９】
前記本体は、前記第１埃貯蔵部を形成するダストボックスをさらに含むことができる。
【００２０】
前記ダストボックスは、排出開口を含み、前記ガイドユニットは、前記排出開口を通じて前記ダストボックスの外側に引出される。
【００２１】
前記ガイドユニットは、前記第１サイクロン部で埃と分離された空気が前記第２サイクロン部に流動する過程で空気をフィルタリングし、前記第２サイクロン部を取囲むフィルタ部と、前記フィルタ部の下側に連結され、前記ダストボックス内で前記第２埃貯蔵部を形成する貯蔵ユニットを含むことができる。
【００２２】
前記フィルタ部と前記貯蔵ユニットが結合された状態で、前記フィルタ部と前記貯蔵ユニットが一緒に前記本体の外部に引出される。
【００２３】
前記第２サイクロン部には、シール部材が備えられる。
【００２４】
前記貯蔵ユニットは、前記本体内に引入した状態で前記シール部材と接触するための接触リブを含むことができる。前記接触リブは、前記シール部材を加圧することができる。
【００２５】
前記第２サイクロン部は、前記シール部材が結合されるシール部材結合部を含むことができる。
【００２６】
前記シール部材結合部は、前記第２サイクロン部の埃排出部が貫通するように前記第２サイクロン部に配置される。前記シール部材結合部は、前記第２サイクロン部の周りを取囲むことができる。
【００２７】
前記シール部材結合部の下側には、前記シール部材が嵌着されるシール部材嵌着溝が形成される。前記接触リブは、前記シール部材の下面に接触することができる。
【００２８】
前記シール部材及び前記接触リブのそれぞれは、リング状に形成される。
【００２９】
前記接触リブが前記シール部材の下面に接触した状態で、前記第２サイクロン部の埃排出部は、前記接触リブが形成する領域内に位置される。
【００３０】
前記フィルタ部の下側一部は、前記貯蔵ユニットの上側に挿入された状態で前記貯蔵ユニットに結合される。
【００３１】
前記貯蔵ユニットは、前記フィルタ部と結合されるインナーボディと、前記インナーボディを取囲むアウターボディとを含むことができる。
【００３２】
前記インナーボディの内側に前記第２埃貯蔵部が形成され、前記ダストボックスの内周面と前記アウターボディの外面との間に前記第１埃貯蔵部が形成される。
【００３３】
前記第２サイクロン部の埃排出部及び前記シール部材は、前記インナーボディの内側に位置される。
【００３４】
前記結合リブは、前記インナーボディから突出する。
【００３５】
前記インナーボディは、第１部分と、前記第１部分の上側から延長される第２部分を含むことができる。
【００３６】
前記第１部分は円筒状に形成され、前記第１部分に前記フィルタ部の下側が挿入される。前記第２部分は、下側に行くほど直径が減るように形成される。
【００３７】
前記結合リブは、前記第１部分から突出するか、前記第２部分から突出するか、前記第１部分と第２部分の境界部から突出する。
【００３８】
本実施例の掃除機は、前記インナーボディと前記アウターボディとの間に備えられる１つ以上のシーラーをさらに含むことができる。
【００３９】
前記１つ以上のシーラーは、一例として前記インナーボディの第２部分に備えられる。
【００４０】
前記フィルタ部は、複数の開口を含むフィルタボディと、前記複数の開口をカバーするメッシュ部を含むことができる。前記第２サイクロン部の空気入口は、前記フィルタ部の内側に位置される。
【００４１】
前記本体は、前記第２サイクロン部から排出された空気を案内する排出ガイドをさらに含むことができる。前記フィルタ部は、前記排出ガイドに分離可能に結合される。
【００４２】
前記排出ガイドは、前記フィルタ部と結合されるための第１結合部を含み、前記フィルタ部は、前記第１結合部と結合されるための第２結合部を含むことができる。
【００４３】
前記フィルタ部の回転動作によって、前記第１結合部と前記第２結合部の結合が完了するように、前記第２結合部は、前記第１結合部が収容される第１溝と、前記第１結合部が前記第１溝に収容される方向と交差する方向に前記第１溝から延長される第２溝とを含むことができる。
【００４４】
前記第１結合部が前記第１溝に収容される方向は上下方向であり、前記第２溝は、前記第１溝から水平方向に延長される。
【００４５】
前記第２サイクロン部の空気入口は、前記吸入部の長さ方向の軸より低く位置する。
【００４６】
前記ガイドユニットは、前記ダストボックスの内周面に向かって延長される掃除部をさらに含むことができる。
【００４７】
前記掃除部は、前記フィルタ部の上端から外側に延長される。
【００４８】
前記掃除部は、前記フィルタ部から水平方向または上方に傾斜するように延長される。
【００４９】
前記掃除部の端部は、前記ダストボックスの内周面に接触するか、前記ダストボックスの内周面と隣接するように位置される。
【００５０】
別の側面による掃除機は、空気と埃を案内する吸入部と、前記吸入部を通じて吸入された空気と埃を分離させる第１サイクロン部と、前記第１サイクロン部から排出された空気から埃を分離させる第２サイクロン部とを備える本体と、前記第２サイクロン部に設置されるシール部材と、前記本体に分離可能に結合されるガイドユニットとを含むことができる。
【００５１】
前記ガイドユニットは、前記本体と結合された状態で、前記第２サイクロン部の少なくとも一部をカバーすることができる。
【００５２】
前記ガイドユニットは、前記本体と結合された状態で、前記シール部材に接触する接触リブを備える。
【００５３】
前記ガイドユニットが前記本体から分離されると、前記第２サイクロン部の埃排出部が外部に露出する。
【００５４】
前記ガイドユニットは、前記第１サイクロン部で一次的に埃と分離された空気が通過するための開口を含むことができる。
【００５５】
前記ガイドユニットは、前記第２サイクロン部から排出された埃を貯蔵する埃貯蔵部を形成することができる。
【００５６】
さらに別の側面による掃除機は、空気と埃を案内する吸入部と、前記吸入部を通じて吸入された空気と埃を分離させる第１サイクロン部と、前記第１サイクロン部から排出された空気から埃を分離させる第２サイクロン部とを備える本体と、前記本体内で前記第１サイクロン部で分離された埃が貯蔵される第１埃貯蔵部と、前記第２サイクロン部で分離された埃が貯蔵される第２埃貯蔵部を区画するガイドユニットと、を含み、前記ガイドユニットは、前記本体に分離可能に結合され、前記ガイドユニットは、前記第１埃貯蔵部の内周面に向かって延長される掃除部を含む。
【発明の効果】
【００５７】
提案される発明によれば、本体から第１サイクロン部で埃分離過程を経た空気を前記第２サイクロン部に案内するガイドユニットが分離される場合、前記第２サイクロン部の埃排出部が外部に露出するので、前記第２サイクロン部の埃排出部の掃除が可能な長所がある。
【００５８】
また、前記ガイドユニットが前記第２サイクロン部に流動する空気をフィルタリングするフィルタ部を含むので、前記第２サイクロン部の掃除だけでなく、前記フィルタ部の掃除も可能な長所がある。
【００５９】
また、前記ガイドユニットが本体から分離されると、前記本体で前記第２サイクロン部の周辺に何の構造物も存在しないので、使用者が容易に前記第２サイクロン部を掃除できる長所がある。
【００６０】
また、前記第２サイクロン部の空気入口が吸入部の長さ方向の軸より低く位置し、前記第２サイクロン部の埃排出部がダストボックスの排出開口と隣接するように位置されるので、使用者が容易に前記第２サイクロン部を掃除できる長所がある。
【００６１】
また、前記ガイドユニットが前記本体に結合された状態では、前記ガイドユニットの内側に位置された接触リブが前記第２サイクロン部の外側に位置されたシール部材と接触するので、ガイドユニットと第２サイクロン部の接触部におけるシールが維持される長所がある。
【００６２】
また、前記ガイドユニットの分離過程で、ペットの毛や髪の毛のような異質物を前記本体から排出させることができるので、使用者がダストボックス内の髪の毛のような異質物を取出したりダストボックスの内周面を直接掃除する面倒がなくなる長所がある。
【図面の簡単な説明】
【００６３】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機を下側から見た斜視図。
【図５】本発明の一実施例に係る掃除機の縦断面図。
【図６】本発明の一実施例に係るボディカバーが回転した状態を見せる図面。
【図７】本発明の一実施例に係るガイドユニットが本体から分離される様子を見せる図面。
【図８】ガイドユニットが本体から分離された状態を見せる図面。
【図９】本発明の一実施例に係るガイドユニットの断面斜視図。
【図１０】図９のガイドユニットの分解断面斜視図。
【図１１】ガイドユニットがシール部材と接触した状態を見せる図面。
【図１２】第２サイクロン部と排出ガイドを見せる図面。
【図１３】本発明の一実施例に係る排出ガイドの斜視図。
【図１４】本発明の一実施例に係る掃除機における空気流動を見せるための掃除機の横断面図。
【図１５】本発明の一実施例に係る掃除機における空気流動を見せるための掃除機の縦断面図。
【図１６】本発明の一実施例に係る掃除機の本体からガイドユニットが分離される様子を見せる縦断面図。
【発明を実施するための形態】
【００６４】
以下、本発明の一部実施例を例示的な図面を参照して詳細に説明する。各図面において、同じ構成要素に対しては同じ符号を付する。また、本発明の実施例の説明において、係る公知構成または機能に対する具体的な説明が、本発明の実施例の理解を妨害すると判断される場合には、その詳細な説明は省略する。
【００６５】
また、本発明の実施例の構成要素の説明において、第１、第２、Ａ、Ｂ、(ａ)、(ｂ)等の用語を用いることができる。このような用語は、その構成要素を他の構成要素と区別するためのものであり、その用語によって当該構成要素の本質または順序等が限定されるものではない。ある構成要素が他の構成要素に「連結」、「結合」または「接続」されると記載された場合、その構成要素は他の構成要素に直接的に連結または接続される場合と、各構成要素の間にさらに他の構成要素が「連結」、「結合」または「接続」される場合を全て含む。
【００６６】
図１は本発明の一実施例に係る掃除機の斜視図であり、図２は本発明の一実施例に係る掃除機の側面図であり、図３は本発明の一実施例に係る掃除機の平面図であり、図４は本発明の一実施例に係る掃除機を下側から見た斜視図であり、図５は本発明の一実施例に係る掃除機の縦断面図である。
【００６７】
図１〜図５を参照すると、本発明の一実施例に係る掃除機１は、本体２を含むことができる。
【００６８】
前記掃除機１は、前記本体２の前側に結合される吸入部５をさらに含むことができる。前記吸入部５は、埃を含む空気を前記本体２に案内することができる。
【００６９】
前記掃除機１は、前記本体２に結合されるハンドル部３をさらに含むことができる。前記ハンドル部３は、前記本体２で前記吸入部５の反対側に位置される。
【００７０】
即ち、前記吸入部５と前記ハンドル部３との間に前記本体２が配置される。
【００７１】
前記本体２は、第１ボディ１０と、前記第１ボディ１０の上側に位置される第２ボディ１２を含むことができる。前記第１ボディ１０と前記第２ボディ１２は、直接結合されるか、中間の媒介部材によって間接的に連結される。
【００７２】
前記第１ボディ１０と前記第２ボディ１２は、限定されるものではないが、円筒状に形成される。
【００７３】
そして、前記第１ボディ１０と前記第２ボディ１２のそれぞれは、上側及び下側が開口される。即ち、前記各ボディ１０、１２は、上側開口及び下側開口を含むことができる。
【００７４】
そして、前記吸入部５の中央部が概略的に前記第１ボディ１０と前記第２ボディ１２の境界部に位置されるように、前記吸入部５が前記本体２に結合される。
【００７５】
前記本体２は、前記吸入部５を通じて吸入された空気から埃を分離する埃分離部をさらに含むことができる。
【００７６】
前記埃分離部は、一例としてサイクロン流動によって埃を分離できる第１サイクロン部１１０を含むことができる。このとき、前記第１ボディ１０が前記第１サイクロン部１１０を含む。
【００７７】
前記吸入部５を通じて吸入される空気と埃は、前記第１サイクロン部１１０の内周面に沿って螺旋流動することになる。
【００７８】
前記第１サイクロン部１１０のサイクロン流動の軸は、上下方向に延長される。
【００７９】
前記埃分離部は、前記第１サイクロン部１１０から排出された空気から埃を再度分離する第２サイクロン部１３０をさらに含むことができる。このとき、前記埃分離部のサイズが最小化されるように、前記第２サイクロン部１３０は、前記第１サイクロン部１１０の内部に位置される。
【００８０】
前記第１ボディ１０は、前記各サイクロン部１１０、１３０で分離された埃を貯蔵するダストボックス１２０をさらに含むことができる。即ち、前記第１ボディ１０の上側部が第１サイクロン部１１０であり、前記第１ボディ１０の下側部が前記ダストボックス１２０である。
【００８１】
前記本体２は、前記ダストボックス１２０の下側を開閉するボディカバー１６をさらに含むことができる。前記ボディカバー１６は、回転動作によって前記ダストボックス１２０を開閉することができる。前記ダストボックス１２０には、前記ボディカバー１６の回転のために操作するボタン１８が備えられる。
【００８２】
前記ボディカバー１６のヒンジ１６ａは、バッテリーハウジング６０に備えられたヒンジ結合部６２０に結合される。
【００８３】
前記第２サイクロン部１３０の少なくとも一部は、前記第１ボディ１０内に位置される。
【００８４】
前記本体２は、前記第１ボディ１０内に位置されるガイドユニット１６０をさらに含むことができる。
【００８５】
前記ガイドユニット１６０は、前記第１サイクロン部１１０で埃と分離された空気を前記第２サイクロン部１３０に案内することができる。
【００８６】
また、前記ガイドユニット１６０は、前記第１サイクロン部１１０から前記第２サイクロン部１３０に流動する空気をフィルタリングすることができる。
【００８７】
また、前記ガイドユニット１６０は、前記第２サイクロン部１３０で分離された埃を貯蔵することができる。
【００８８】
前記ガイドユニット１６０は、前記第２サイクロン部１３０を取囲むことができ、前記ボディカバー１６の上面に接触することができる。即ち、前記ガイドユニット１６０の一部は、前記第２サイクロン部１３０と前記第１サイクロン部１１０との間に位置され、前記ガイドユニット１６０の他の一部は、前記第２サイクロン部１３０の下側と前記ボディカバー１６との間に位置される。
【００８９】
前記ガイドユニット１６０は、前記第１ボディ１０の内部の空間を前記第１サイクロン部１１０で分離された埃が貯蔵される第１埃貯蔵部１２１と、前記第２サイクロン部１３０で分離された埃が貯蔵される第２埃貯蔵部１２３に区画することができる。
【００９０】
前記ガイドユニット１６０が形成する空間が前記第２埃貯蔵部１２３であり、前記ガイドユニット１６０と前記第１ボディ１０の間の空間が第１埃貯蔵部１２１である。
【００９１】
前記ボディカバー１６は、前記第１埃貯蔵部１２１と前記第２埃貯蔵部１２３を一緒に開閉することができる。
【００９２】
前記掃除機１は、吸入力を発生させるための吸入モータ２０と、前記吸入モータ２０に電源を供給するためのバッテリー４０をさらに含むことができる。
【００９３】
前記吸入モータ２０は、前記第２ボディ１２内に位置される。そして、前記吸入モータ２０の少なくとも一部は、前記埃分離部の上側に位置される。よって、前記吸入モータ２０は、前記第１ボディ１０の上方に位置される。
【００９４】
前記吸入モータ２０は、前記第２サイクロン部１３０の空気出口と連通する。
【００９５】
このために、前記本体２は、前記第２サイクロン部１３０と連結される排出ガイド２８と、前記排出ガイド２８と連通する流動ガイド２２をさらに含むことができる。
【００９６】
一例として、前記排出ガイド２８は、前記第２サイクロン部１３０の上側に位置され、前記流動ガイド２２は、前記排出ガイド２８の上側に位置される。そして、前記排出ガイド２８に前記ガイドユニット１６０が分離可能に結合される。
【００９７】
そして、前記吸入モータ２０の少なくとも一部は、前記流動ガイド２２内部に位置される。
【００９８】
よって、前記埃分離部のサイクロン流動の軸は、前記吸入モータ２０を貫通することができる。
【００９９】
前記吸入モータ２０が前記第２サイクロン部１３０の上側に位置されると、前記第２サイクロン部１３０から排出された空気が直ちに前記吸入モータ２０側に流動することができ、前記第２サイクロン部１３０と前記吸入モータ２０との間の流路が最小化される。
【０１００】
前記吸入モータ２０は、回転動作するインペラ２００を含むことができる。前記インペラ２００は、シャフト２０２に連結される。前記シャフト２０２は、上下方向に延長されるように配置される。
【０１０１】
前記シャフト２０２の延長線(インペラ２００の回転軸と称することもできる)は、前記第１ボディ１０を通過することができる。このとき、前記インペラ２００の回転軸と前記埃分離部の第１サイクロン部１１０で発生するサイクロン流動の軸は、同一線上に位置される。
【０１０２】
本発明によれば、前記埃分離部から排出された空気、即ち、第２サイクロン部１３０から上方に排出された空気が前記吸入モータ２０側に流動する経路が減り、空気の方向変化が減って空気の流動損失が減少する長所がある。
【０１０３】
空気の流動損失が減少する場合、吸入力が増加し、前記吸入モータ２０に電源を供給するためのバッテリー４０の使用時間が増加する。
【０１０４】
前記掃除機１は、前記吸入モータ２０の上側一部をカバーする上部モータハウジング２６と、前記吸入モータ２０の下側一部をカバーする下部モータハウジング２７をさらに含むことができる。前記吸入モータ２０は、前記各モータハウジング２６の内部に収容され、前記流動ガイド２２は、前記上部モータハウジング２６を取囲むように配置される。
【０１０５】
前記流動ガイド２２の少なくとも一部は、前記上部モータハウジング２６と離隔する。また、前記流動ガイド２２の少なくとも一部は、前記第２ボディ１２と離隔する。
【０１０６】
よって、前記流動ガイド２２の内周面と前記上部モータハウジング２６の外周面は第１空気流路２３２を形成し、前記流動ガイド２２の外周面と前記第２ボディ１２の内周面は第２空気流路２３４を形成する。
【０１０７】
前記第２サイクロン部１３０から排出された空気は、前記第１空気流路２３２に沿って前記吸入モータ２０に流動し、前記吸入モータ２０から排出された空気は、前記第２空気流路２３４に沿って流動した後外部に排出される。よって、前記第２空気流路２３４は、排気流路の役割をする。
【０１０８】
前記ハンドル部３は、使用者の把持のためのハンドル３０と、前記ハンドル３０の下側に配置されるバッテリーハウジング６０を含むことができる。
【０１０９】
前記ハンドル３０は、前記吸入モータ２０の後方に位置される。
【０１１０】
方向に対して定義すると、前記掃除機１で前記吸入モータ２０を基準に、前記吸入部５が位置する方向が前方であり、前記ハンドル３０が位置する方向が後方である。
【０１１１】
前記バッテリー４０は、前記第１ボディ１０の後方に位置される。よって、前記吸入モータ２０と前記バッテリー４０は、上下方向に重ならないように配置され、配置高さも異なるように配置される。
【０１１２】
このような本発明によれば、前記ハンドル３０を基準に、重さが重い吸入モータ２０が前記ハンドル３０の前方に位置され、重さが重いバッテリー４０が前記ハンドル３０の下方に位置されるので、前記掃除機１全体的に重さが均等に分配される。使用者が前記ハンドル３０を握って掃除をするとき、使用者の手首に負担がかかることが防止される。即ち、掃除機１の前側と後側に重さが重い構成が分散配置され、かつ相互異なる高さに配置されるので、掃除機１の重心がいずれかの一方に傾くことが防止される。
【０１１３】
前記バッテリー４０が前記ハンドル３０の下方に位置され、前記吸入モータ２０は前記ハンドル３０の前方に位置されるので、前記ハンドル３０の上方には何の構成も存在しなくなる。即ち、前記ハンドル３０の上面は、前記掃除機１の上面一部外観を形成する。
【０１１４】
よって、前記ハンドル３０を握って使用する過程で、掃除機１の一構成が使用者の腕に接触することが防止される。
【０１１５】
前記ハンドル３０は、上下方向に延長され、使用者が掴むことができる第１延長部３１０と、前記第１延長部３１０の上側から前記吸入モータ２０に向かって延長される第２延長部３２０を含むことができる。前記第２延長部３２０は、少なくとも一部が水平方向に延長される。
【０１１６】
本発明で、前記第１延長部３１０は、使用者が掴むことができる部分(使用者の手のひらが接触できる部分)として、グリップ部ともいうことができる。
【０１１７】
前記第１延長部３１０には、使用者が前記第１延長部３１０を握った状態で手が前記第１延長部３１０の長さ方向(図２では上下方向)に移動することを防止するための移動制限部３１２が備えられる。前記移動制限部３１２は、前記第１延長部３１０から前記吸入部５に向かって延長される。
【０１１８】
前記移動制限部３１２は、前記第２延長部３２０と離隔して配置される。よって、前記第１延長部３１０を把持した状態で、一部指は前記移動制限部３１２の上方に位置され、残りの指は前記移動制限部３１２の下方に位置される。
【０１１９】
一例として、人差し指と中指の間に前記移動制限部３１２が位置される。
【０１２０】
このような配置によれば、使用者が前記第１延長部３１０を把持した状態で、前記吸入部５の長さ方向の軸Ａ１が使用者の手首を通ることができる。
【０１２１】
前記吸入部５の長さ方向の軸Ａ１が使用者の手首を通る場合、使用者の腕が伸ばされた状態で、前記吸入部５の長さ方向の軸Ａ１は使用者の腕の延長方向と実質的に並ぶことになる。よって、このような状態では、使用者が前記ハンドル３０を握って掃除機１を押引きするときに必要な使用者の力が最小化される長所がある。
【０１２２】
前記ハンドル３０は、操作部３２６を含むことができる。一例として、前記操作部３２６は、前記第２延長部３２０に形成される傾斜面に位置される。前記操作部３２６を通じて吸入モータ２０の制御命令を入力することができる。一例として、前記操作部３２６を利用して前記吸入モータ２０のオン命令及びオフ命令を入力することができる。また、前記操作部３２６を通じて、前記吸入モータ２０がオンした状態で吸入モータ２０の吸入力の強度を調節することができる。
【０１２３】
前記操作部３２６は、使用者に向かうように配置される。前記ハンドル３０を基準に、前記操作部３２６は、前記移動制限部３１２の反対側に位置される。
【０１２４】
前記操作部３２６は、前記移動制限部３１２より高く位置される。よって、使用者が前記第１延長部３１０を握った状態で親指で、容易に前記操作部３２６を操作することができる。
【０１２５】
また、前記第１延長部３１０から離れた位置に前記操作部３２６が位置されるので、前記第１延長部３１０を把持した状態で掃除を行うとき、意図せず前記操作部３２６が操作されることが防止される。
【０１２６】
前記第２延長部３２０には、作動状態を表示するための表示部３２２が備えられる。前記表示部３２２は、一例として前記第２延長部３２０の上面に位置される。よって、使用者が掃除を行う過程で、前記第２延長部３２０の上面に位置した表示部３２２を容易に確認することができる。前記表示部３２２は、一例としてバッテリー４０の残量、吸入モータの強度等を表示することができる。
【０１２７】
前記表示部３２２は、限定されるものではないが、複数の発光部を含むことができる。前記複数の発光部は、前記第２延長部３２０の長さ方向に離隔して配列される。
【０１２８】
前記バッテリーハウジング６０は、前記第１延長部３１０の下側に位置される。
【０１２９】
前記バッテリー４０は、前記バッテリーハウジング６０に分離可能に収容される。
【０１３０】
一例として、前記バッテリー４０は、前記バッテリーハウジング６０の下方から前記バッテリーハウジング６０の内部に挿入される。
【０１３１】
前記バッテリーハウジング６０の後面と前記第１延長部３１０の後面は、連続的な面を形成することができる。よって、前記バッテリーハウジング６０と前記第１延長部３１０が一体感を有することができる。
【０１３２】
前記バッテリー４０が前記バッテリーハウジング６０に収容された状態で、前記バッテリー４０の下面が外部に露出する。よって、前記掃除機１を床に置くとき前記バッテリー４０が床に置かれる。
【０１３３】
このような構造によれば、前記バッテリー４０を前記バッテリーハウジング６０から直ちに分離できる長所がある。
【０１３４】
また、前記バッテリー４０の下面が外部に露出するので、前記バッテリー４０の下面が掃除機１の外部の空気と直接接触でき、前記バッテリー４０の冷却性能が向上する。
【０１３５】
一方、図３を参照すると、前記掃除機１は、前記吸入モータ２０を通った空気が排出される空気排出口５２２を有するフィルタ機構５０をさらに含むことができる。前記空気排出口５２２は、一例として複数の開口を含み、複数の開口は円周方向に配列される。よって、空気排出口５２２はリング状に配列される。
【０１３６】
前記フィルタ機構５０は、前記本体２の上側に分離可能に結合される。
【０１３７】
前記フィルタ機構５０が前記本体２に結合された状態で、前記フィルタ機構５０の一部は、前記第２ボディ１２の外側に位置される。よって、前記フィルタ機構５０の一部は、前記本体２の上側開口を通じて本体２の内部に引入され、他の一部は前記本体２の外部に突出する。
【０１３８】
前記本体２の高さは、前記ハンドル３０の高さと実質的に同一である。よって、前記フィルタ機構５０は、前記本体２の上方に突出し、使用者が前記フィルタ機構５０を握った状態で前記フィルタ機構５０を容易に分離することができる。
【０１３９】
前記フィルタ機構５０が前記本体２に結合された状態で、前記フィルタ機構５０の上側に前記空気排出口５２２が位置される。よって、前記吸入モータ２０から排出された空気は、前記本体２の上方に排出される。
【０１４０】
本実施例によれば、掃除機１を利用して掃除する過程で、空気排出口５２２から排出された空気が使用者側に流動することが防止される。
【０１４１】
前記本体２は、前記吸入モータ２０に流入する空気をフィルタリングするためのプレフィルタ２９をさらに含むことができる。前記プレフィルタ２９は、前記流動ガイド２２内に位置される。また、前記プレフィルタ２９は、前記上部モータハウジング２６に安着し、前記上部モータハウジング２６の一部を取囲むことができる。即ち、前記上部モータハウジング２６は、前記プレフィルタ２９を支持するためのフィルタ支持部を含むことができる。
【０１４２】
図６は本発明の一実施例に係るボディカバーが回転した状態を見せる図面であり、図７は本発明の一実施例に係るガイドユニットが本体から分離される様子を見せる図面であり、図８はガイドユニットが本体から分離された状態を見せる図面である。
【０１４３】
図４〜図８を参照すると、前記ボディカバー１６の回転のために前記ボタン１８を操作すると、前記ボディカバー１６がヒンジ１６ａを中心に回転して前記ダストボックス１２０の下側を開放させる。
【０１４４】
前記ボディカバー１６が前記ダストボックス１２０の下側を開放させると、前記第２サイクロン部１３０を取囲んでいるガイドユニット１６０が外部に露出する。
【０１４５】
前記ボディカバー１６が前記ダストボックス１２０を閉じた状態で、前記ガイドユニット１６０は前記ボディカバー１６に安着するので、前記ボディカバー１６が前記ダストボックス１２０を開放させると、前記ガイドユニット１６０の下側は、前記ダストボックス１２０の排出開口１２０ａと近接するように位置される。このとき、前記排出開口１２０ａは、ダストボックス１２０の埃を空けるために埃が排出される部分である。
【０１４６】
よって、使用者は、前記排出開口１２０ａを通じて前記ガイドユニット１６０を把持した状態で前記ガイドユニット１６０を前記本体２から分離することができる。
【０１４７】
前記ガイドユニット１６０は、前記排出開口１２０ａを通じて前記本体２の外部に抜けることができ、前記ガイドユニット１６０が前記本体２から分離されると、前記第２サイクロン部１３０の埃排出部１３５が外部に露出する。
【０１４８】
前記ガイドユニット１６０が前記本体２から分離されると、前記第２サイクロン部１３０と前記第１ボディ１０の間には何の構成も存在しなくなる。
【０１４９】
よって、使用者は、前記第２サイクロン部１３０が前記本体２内に位置された状態で、前記第２サイクロン部１３０の埃排出部１３５を容易に掃除することができる。
【０１５０】
本実施例によれば、前記埃排出部１３５を掃除できるので、前記埃排出部１３５が詰まることや詰まった状態が維持されることが防止されるので、埃分離性能が低下することが防止される。
【０１５１】
前記第２サイクロン部１３０は、前記本体２から立てられた状態で配置される。
【０１５２】
本実施例で、前記第２サイクロン部１３０の空気入口１４３は、前記吸入部の長さ方向の軸Ａより低く位置する。この場合、前記第２サイクロン部１３０の埃排出部１３５が前記ダストボックス１２０の排出開口１２０ａと近く位置される。
【０１５３】
よって、使用者は、前記排出開口１２０ａと近く位置された前記第２サイクロン部１３０の埃排出部１３５を容易に掃除することができる。
【０１５４】
前記第２サイクロン部１３０で前記埃排出部１３５と隣接した位置には、シールのためのシール部材１５０が備えられる。
【０１５５】
図９は本発明の一実施例に係るガイドユニットの断面斜視図であり、図１０は図９のガイドユニットの分解断面斜視図であり、図１１はガイドユニットがシール部材と接触した状態を見せる図面であり、図１２は第２サイクロン部と排出ガイドを見せる図面であり、図１３は本発明の一実施例に係る排出ガイドの斜視図である。
【０１５６】
図９〜図１３を参照すると、前記ガイドユニット１６０は、空気をフィルタリングするフィルタ部１６１と、埃を貯蔵するための貯蔵ユニット１７０を含むことができる。
【０１５７】
前記フィルタ部１６１は、少なくとも一部が円筒状に形成され、円周方向に空気が通過するための複数の開口１６２を含むことができる。
【０１５８】
そして、前記フィルタ部１６１は、前記複数の開口１６２を取囲むメッシュ部１６４を含むことができる。よって、前記第１サイクロン部１１０で埃と一次的に分離された空気は、前記メッシュ部１６４を通過する過程でフィルタリングされる。
【０１５９】
前記フィルタ部１６１は、前記排出ガイド２８と結合されるための第１結合部１６５を含むことができる。
【０１６０】
前記第１結合部１６５は、前記フィルタ部１６１の内周面に形成される。前記第１結合部１６５は、前記フィルタ部１６１の上端から下方に延長される第１溝１６６と、前記第１溝１６６から水平方向に延長される第２溝１６７を含むことができる。即ち、前記第１結合部１６５は、「Ｌ」字状に形成される。
【０１６１】
前記フィルタ部１６１は、前記貯蔵ユニット１７０と結合されるための結合フック１６８をさらに含むことができる。前記結合フック１６８は、前記フィルタ部１６１の下側に備えられる。
【０１６２】
前記フィルタ部１６１は、前記ガイドユニット１６０が前記ダストボックス１２０から分離するとき、前記ダストボックス１２０内の髪の毛のような異質物を前記ダストボックス１２０内から排出させるための掃除部１６９をさらに含むことができる。
【０１６３】
前記掃除部１６９は、一例として前記フィルタ部１６１の上端部に備えられる。
【０１６４】
前記掃除部１６９は、前記フィルタ部１６１の上端部から水平方向に延長されるか上方に傾斜するように延長される。
【０１６５】
前記掃除部１６９は、前記フィルタ部１６１から円周方向に連続的に形成されるか、複数の掃除部１６９が前記フィルタ部１６１の円周方向に離隔して配列される。
【０１６６】
前記掃除部１６９の端部は、前記ダストボックス１２０の内周面(または、第２埃貯蔵部の内周面)に接触するか、前記ダストボックス１２０の内周面と隣接するように位置される。前記掃除部１６９は、前記フィルタ部１６１と一体で形成されるか、前記フィルタ部１６１に結合される。
【０１６７】
別の例として、前記掃除部１６９の端部には、前記ダストボックス１２０の内周面と接触するためのゴム材質の接触部(図示しない)が備えられる。前記接触部は、前記ガイドユニット１６０を前記本体２から分離される過程で、前記ダストボックス１２０の内周面を拭くことができる。
【０１６８】
前記掃除部１６９には、図示されないが、前記ガイドユニット１６０を分離する過程で、前記操作ボタン１８及び前記操作ボタン１８が設置されるダストボックス１２０の一部との干渉を防止するための切開溝またはスロットが備えられる。
【０１６９】
前記ダストボックス１２０の一部または全部は、透明または半透明材質で形成される。使用者が前記ガイドユニット１６０を前記本体２から分離される過程で、前記接触部が前記ダストボックス１２０の内周面を拭くと、前記ダストボックス１２０の内周面が掃除され、使用者が前記ダストボックス１２０の内部を肉眼で容易に確認することができる。
【０１７０】
前記貯蔵ユニット１７０は、前記フィルタ部１６１の下側を支持することができる。前記貯蔵ユニット１７０は、インナーボディ１７１と、前記インナーボディ１７１を取囲むアウターボディ１７２を含むことができる。
【０１７１】
前記インナーボディ１７１は、前記第２埃貯蔵部１２３を形成する第１部分１７１ａを含むことができる。前記インナーボディ１７１の第１部分１７１ａは上側から下側に行くほど直径が減るように形成される。
【０１７２】
前記インナーボディ１７１の第１部分１７１ａが上側から下側に行くほど直径が減る場合、前記ダストボックス１２０内で前記第１埃貯蔵部１２１の容積が増加する。
【０１７３】
前記第１埃貯蔵部１２１には、比較的嵩が大きい埃が貯蔵されるが、前記第１埃貯蔵部１２１の容積が大きくなると、前記第１埃貯蔵部１２１に埃がいっぱいとなるまでの時間が増加して埃空ける回数が減る。
【０１７４】
前記インナーボディ１７１は、前記第１部分１７１ａの上側に位置される第２部分１７３をさらに含むことができる。
【０１７５】
前記インナーボディ１７１の第２部分１７３は、一例として円筒状に形成される。前記フィルタ部１６１の下側一部は、前記インナーボディ１７１の第２部分１７３に挿入される。
【０１７６】
前記インナーボディ１７１は、前記結合フック１６８と結合されるためのフック結合部１７４をさらに含むことができる。前記フック結合部１７４は、一例として前記第２部分１７３に形成される。
【０１７７】
前記フック結合部１７４は、前記インナーボディ１７１の第２部分１７３の内周面に形成される溝または前記第２部分１７３を貫通するホールであってもよい。
【０１７８】
前記インナーボディ１７１は、前記第２サイクロン部１３０に備えられたシール部材１５０と接触するための接触リブ１７５をさらに含むことができる。前記接触リブ１７５はリング状に形成される。
【０１７９】
前記接触リブ１７５は、前記インナーボディ１７１の第１部分１７１ａまたは第２部分１７３に形成されるか、前記インナーボディ１７１の第１部分１７１ａと第２部分１７３の境界部に形成される。
【０１８０】
前記インナーボディ１７１の第２部分１７３の外周面には、前記インナーボディ１７１とアウターボディ１７２の間のシールのための１つ以上のシーラー１７７が結合される。前記シーラー１７７はリング状に形成され、前記インナーボディ１７１の前記第２部分１７３の外周面には、前記シーラー１７７が安着するためのシーラー安着溝１７６が形成される。
【０１８１】
図１０には、一例として多数のシーラー１７７が前記インナーボディ１７２の外周面に結合されるものが図示される。この場合、前記多数のシーラー１７７は上下方向に離隔して配置される。
【０１８２】
前記インナーボディ１７１の第２部分１７３の外周面には、前記アウターボディ１７２との固定のための１つ以上の固定突起１７８が備えられる。
【０１８３】
前記アウターボディ１７２の一部分は、前記インナーボディ１７１の第１部分１７１ａと同じ形状に形成され、前記インナーボディ１７１の第１部分１７１ａの外側を取囲むことができる。
【０１８４】
前記アウターボディ１７２の下側には、前記インナーボディ１７１の第１部分１７１ａの下端を支持する支持リブ１８４が備えられる。
【０１８５】
前記アウターボディ１７２は、前記インナーボディ１７１の外側で前記インナーボディ１７１の第２部分１７３を取囲むカバー部１８０をさらに含むことができる。前記カバー部１８０は円筒状に形成される。
【０１８６】
前記カバー部１８０には、前記１つ以上の固定突起１７８が固定される突起結合部１８１が備えられる。
【０１８７】
前記カバー部１８０と前記インナーボディ１７１の第２部分１７３の間に前記１つ以上のシーラー１７７が位置される。よって、前記１つ以上のシーラー１７７によって前記第２埃貯蔵部１２３内部の埃及び／又は空気が前記インナーボディ１７１と前記アウターボディ１７２の間に引入することが防止される。
【０１８８】
また、前記１つ以上のシーラー１７７によって、前記第１埃貯蔵部１２１埃及び/空気が前記インナーボディ１７１と前記アウターボディ１７２の間に引入することが防止される。
【０１８９】
前記アウターボディ１７２は、前記アウターボディ１７２から前記カバー部１８０の反対方向に延長される飛散防止リブ１８２をさらに含むことができる。
【０１９０】
前記飛散防止リブ１８２は、一例として円筒状に形成され、前記アウターボディ１７２の一地点から下方に延長される。
【０１９１】
前記アウターボディ１７２の一部は、下側に行くほど直径が減るので、前記アウターボディ１７２の外周面と前記飛散防止リブ１８２の間には空間が形成される。
【０１９２】
前記第１サイクロン部１１０でサイクロン流動は、前記第１ボディ１０の内周面に沿って流動しながら下降することができる。サイクロン流動が下降する過程で、前記サイクロン流動が前記ボディカバー１６と突き当たると、回転流動が上昇流動に変化する。
【０１９３】
仮に、前記第１埃貯蔵部１２１内で上昇流動が存在する場合、前記第１埃貯蔵部１２１に貯蔵された埃が飛散して前記第１サイクロン部１１０側に逆流する問題がある。
【０１９４】
本発明の場合、前記第１埃貯蔵部１２１内の上昇流動は、前記飛散防止リブ１８２と前記アウターボディ１７２の外周面の間の空間で、前記飛散防止リブ１８２によって再び下降流動に変化する。よって、前記第１埃貯蔵部１２１に貯蔵された埃の飛散が防止され、これによって、埃が前記第１サイクロン部１１０側に逆流する問題が防止される。
【０１９５】
一方、前記飛散防止リブ１８２は、前記アウターボディ１７２の一地点から下方に延長されるので、前記サイクロン流動と共に前記第１サイクロン部１１０から分離された埃は、前記飛散防止リブ１８２によって前記第１埃貯蔵部１２１に円滑に移動する。
【０１９６】
一方、前記第２サイクロン部１３０は、サイクロンモジュール１３１と、前記サイクロンモジュール１３１と連結されるガイドモジュール１４０をさらに含むことができる。
【０１９７】
前記サイクロンモジュール１３１は、多数のサイクロンボディ１３２を含むことができる。前記多数のサイクロンボディ１３２は一体で形成される。
【０１９８】
限定されるものではないが、前記多数のサイクロンボディ１３２は、中央部に１つのサイクロンボディが配置され、残りのサイクロンボディが中央部に配置されたサイクロンボディを取囲むように配置される。
【０１９９】
一例として、中央部に配置されたサイクロンボディを８個のサイクロンボディが取囲むように配置されるが、本発明のサイクロンボディの個数は、これに限定されるものではない。
【０２００】
本明細書で、中央部のサイクロンボディをインナーサイクロンボディと称し、前記インナーサイクロンボディを取囲むように配置されるサイクロンボディをアウターサイクロンボディと称することにする。
【０２０１】
前記各サイクロンボディ１３２は、第１サイクロンボディ１３３と、前記第１サイクロンボディ１３３から下側に延長される第２サイクロンボディ１３４を含むことができる。
【０２０２】
前記第１サイクロンボディ１３３は、一例として円筒状に形成され、前記第２サイクロンボディ１３４は円錐状または円錐台状に形成される。
【０２０３】
前記第２サイクロンボディ１３４は、埃が排出される埃排出部１３５を含むことができる。
【０２０４】
前記サイクロンモジュール１３１は、前記排出ガイド２８との結合のためのガイド結合部１３７をさらに含むことができる。
【０２０５】
前記ガイド結合部１３７は、前記多数のアウターサイクロンボディのうち一部のアウターサイクロンボディと前記インナーサイクロンボディの間に位置される。
【０２０６】
前記ガイド結合部１３７は、前記排出ガイド２８に備えられる締結ボディ２８５を収容する収容部１３７ａと、前記収容部１３７ａに収容された締結ボディ２８５が安着するボディ安着部１３７ｂを含むことができる。
【０２０７】
前記締結ボディ２８５が前記ボディ安着部１３７ｂに安着した状態で、前記ボディ安着部１３７ｂの下側でスクリュのような締結部材が前記ボディ安着部１３７ｂと前記締結ボディ２８５を締結することができる。
【０２０８】
前記ガイドモジュール１４０は、前記サイクロンモジュール１３１の上側に安着して、空気を前記各サイクロンボディ１３２案内し、前記各サイクロンボディ１３２で埃と分離された空気は、前記排出ガイド２８に案内することができる。
【０２０９】
前記ガイドモジュール１４０は、空気入口１４３を備えるガイドボディ１４２を含むことができる。前記ガイドボディ１４２は、前記第１サイクロンボディ１３３と同じ直径を有するように円筒状に形成される。
【０２１０】
前記ガイドモジュール１４０は、前記ガイドボディ１４２の内側に位置される空気出口１４５をさらに含むことができる。
【０２１１】
前記空気出口１４５は円筒形状に形成される。そして、前記空気出口１４５の上下の長さは、前記ガイドボディ１４２の上下の長さより長く形成される。
【０２１２】
よって、前記ガイドモジュール１４０が前記サイクロンモジュール１３１の上側に安着すると、前記ガイドモジュール１４０の各空気出口１４５の一部は、前記各サイクロンボディ１３２の内部に引入される。
【０２１３】
そして、空気は、前記ガイドボディ１４２に軸方向に流入することができる。前記ガイドボディ１４２に軸方向に流入する空気が前記サイクロンボディ１３２の内周面に沿って螺旋流動できるように、前記ガイドボディ１４２の内周面と前記空気出口１４５の間には、空気の流動をガイドするための螺旋形態の流動ガイドリブ１４４が備えられる。
【０２１４】
本発明によれば、空気が前記ガイドボディ１４２に軸方向に流動することで、前記ガイドモジュール１４０の幅が大きくなることが防止される。
【０２１５】
また、前記ガイドモジュール１４０の空気出口１４５が前記サイクロンボディ１３２に挿入されることで、前記サイクロンボディ１３２に引入された空気が埃と分離されず直ちに排出される現象が減る。
【０２１６】
前記排出ガイド２８は、前記ガイドモジュール１４０の上側に安着する第１排出ガイド２８０と、前記第１排出ガイド２８０から上方に延長される第２排出ガイド２８１を含むことができる。
【０２１７】
前記第１排出ガイド２８０は、一例として円筒状に形成され、前記第２排出ガイド２８１は上側に行くほど直径が増加する円錐台形態に形成される。
【０２１８】
前記第１排出ガイド２８０は、前記サイクロンモジュール１３１との締結のための締結ボディ２８５を含むことができる。前記締結ボディ２８５は、前記第１排出ガイド２８０の下面２８２から下方に突出する。前記締結ボディ２８５が前記サイクロンモジュール１３１と締結されるように、前記締結ボディ２８５の上下の長さは、前記ガイドモジュール１４０の上下の長さより長く形成される。
【０２１９】
よって、前記締結ボディ２８５は、前記ガイドモジュール１４０の上側で前記ガイドモジュール１４０を通って前記サイクロンモジュール１３１の収容部１３７ａに収容される。
【０２２０】
前記第１排出ガイド２８０は、前記ガイドモジュール１４０の空気出口１４５に填め込まれる出口ガイド２８３を含むことができる。前記出口ガイド２８３は、前記空気出口１４５の内周面と接触して空気の排出をガイドするだけでなく、前記出口ガイド２８３の外周面と前記空気出口１４５の内周面の間に空気が漏れることを防止する役割をする。
【０２２１】
一方、前記第１排出ガイド２８０には、前記フィルタ部１６１に結合される。前記第１排出ガイド２８０は、前記フィルタ部１６１との結合のための第２結合部２８６を含むことができる。
【０２２２】
前記第２結合部２８６は、前記第１排出ガイド２８０の外周面から突出する突出部からなり、水平方向に一定長さを有するように延長される。
【０２２３】
ただし、前記第２結合部２８６の左右の長さは、前記第１溝１６６の左右の幅より小さく形成される。
【０２２４】
前記第１排出ガイド２８０が円筒状に形成されるので、前記フィルタ部１６１の第１結合部１６５と前記排出ガイド２８の第２結合部２８６によって、前記ガイドユニット１６０は、回転動作によって前記排出ガイド２８と結合または結合解除される。
【０２２５】
具体的に、前記ガイドユニット１６０を前記排出ガイド２８と分離させるために、前記第２結合部２８６を前記第１結合部１６５の第１溝１６６と整列させる。
【０２２６】
この状態で、前記第２結合部２８６が前記第１溝１６６に挿入されるようにする。すると、前記第１溝１６６内で前記第２結合部２８６と前記第２溝１６７が整列する。この状態で、前記ガイドユニット１６０を一方向に回転させると、前記第２結合部２８６が前記第２溝１６７に挿入されて前記ガイドユニット１６０のフィルタ部１６１と前記排出ガイド２８の結合は完了する。
【０２２７】
このとき、前記フィルタ部１６１と前記排出ガイド２８の結合力が増加するように、前記第１溝１６６の陥没深さより前記第２溝１６７の陥没深さが小さくなるように形成される。
【０２２８】
そして、前記第１溝１６６の陥没深さは、前記第２結合部２８６の突出厚さと同一またはより小さくてもよい。
【０２２９】
この場合、前記第１溝１６６に位置した第２結合部２８６が前記第２溝１６７に移動する過程で、前記第２結合部２８６と前記第２溝１６７の接触摩擦力が増加し、前記フィルタ部１６１と前記排出ガイド２８の結合力が増加する。
【０２３０】
前記サイクロンモジュール１３１は、前記シール部材１５０が結合されるためのシール部材結合部１３８をさらに含むことができる。前記シール部材結合部１３８は、前記サイクロンボディ１３２で前記埃排出部１３５と隣接するように配置される。
【０２３１】
一例として、前記シール部材結合部１３８は、前記第２サイクロンボディ１３４と一体で形成される。
【０２３２】
そして、前記シール部材結合部１３８は、前記埃排出部１３５より上方に位置される。即ち、前記埃排出部１３５が前記シール部材結合部１３８を貫通する形態で前記シール部材結合部１３８が位置される。
【０２３３】
前記シール部材結合部１３８の下側には、前記シール部材１５０が嵌着されるシール部材嵌着溝１３９が形成される。前記シール部材１５０はリング状に形成され、前記シール部材１５０が前記シール部材嵌着溝１３９に嵌着された状態で前記サイクロンモジュール１３１の周りを取囲む。
【０２３４】
図１１のように、前記ガイドユニット１６０のフィルタ部１６１が前記排出ガイド２８に結合されると、前記貯蔵ユニット１７０の接触リブ１７５が前記第２サイクロン部１３０のシール部材１５０の下面に接触することができる。このとき、前記接触リブ１７５が前記シール部材１５０の下面に接触した状態で、前記第２サイクロン部１３０の埃排出部１３５は、前記接触リブ１７５が形成する領域内に位置される。
【０２３５】
前記シール部材１５０と前記接触リブ１７５の接触力を増加させるために、前記ガイドユニット１６０のフィルタ部１６１が前記排出ガイド２８に結合されると、前記貯蔵ユニット１７０の接触リブ１７５が前記シール部材１５０を加圧することができる。
【０２３６】
前記接触リブ１７５が前記シール部材１５０と接触すると、前記ガイドユニット１６０の内部の空間が前記シール部材１５０の上部空間と下部空間に区画される。
【０２３７】
このとき、前記シール部材１５０の上部空間は、前記第１サイクロン部１１０で埃分離過程を経た空気が前記第２サイクロン部１３０の空気入口１４３に案内される空間であり、前記シール部材１５０の下部空間は第２埃貯蔵部１２３内の空間である。
【０２３８】
本発明のように、前記ガイドユニット１６０が前記フィルタ部１６１を含み、前記ガイドユニット１６０が前記本体２から分離されると、前記第２サイクロン部１３０の埃排出部１３５が外部に露出するので、前記第２サイクロン部１３０の埃排出部１３５を容易に掃除できるだけでなく、前記フィルタ部１６１の掃除も容易な長所がある。
【０２３９】
また、前記ガイドユニット１６０を前記本体２に装着した状態では、前記第２サイクロン部１３０の外側に備えられるシール部材１５０に前記ガイドユニット１６０の内側に位置される接触リブ１７５が接触する。よって、前記第１埃貯蔵部１２１の内部空間または第１サイクロン部１１０の内部空間または前記ガイドユニット１６０で、前記第２サイクロン部１３０に空気が案内される空間と前記第２埃貯蔵部の内部空間とのシールが維持される。
【０２４０】
このようなシール維持によって、前記第２埃貯蔵部１２３の埃が飛散することが防止され、前記ガイドユニット１６０内部に引入された空気が前記第２サイクロン部１３０のサイクロンボディ１３２によって埃分離過程を経ることなく直ちに空気出口から排出される現象が防止される。
【０２４１】
図１４は本発明の一実施例に係る掃除機における空気流動を見せるための掃除機の横断面図であり、図１５は本発明の一実施例に係る掃除機における空気流動を見せるための掃除機の縦断面図である。
【０２４２】
図９〜図１５を参照すると、前記吸入モータ２０の作動によって、前記吸入部５を通じて吸入された空気と埃は、前記第１サイクロン部１１０の内周面に沿って流動しながら相互分離される。
【０２４３】
空気と分離された埃は下方に流動して前記第１埃貯蔵部１２１に貯蔵される。埃と分離された空気は、前記ガイドユニット１６０のフィルタ部１６１を通った後、前記第２サイクロン部１３０の空気入口１４３に流動する。このとき、前記フィルタ部１６１のメッシュ部１６４の上端は、前記第２サイクロン部１３０の空気入口１４３より高く位置される。即ち、前記第２サイクロン部１３０の空気入口１４３は、前記フィルタ部１６１の内側に位置される。
【０２４４】
よって、前記メッシュ部１６４を通過した空気が直ちに前記第２サイクロン部１３０の空気入口１４３に流動できるので、空気の流路が短くなり、これによって、流路損失が減る長所がある。
【０２４５】
一例として、前記第１サイクロン部１１０で埃と分離された空気は、前記フィルタ部１６１のメッシュ部１６４を通過しながらフィルタリングされた後、前記フィルタ部１６１の開口１６２を通じて前記フィルタ部１６１の内部に引入される。前記フィルタ部１６１の内部に引入された空気は、前記ガイドモジュール１４０によって前記サイクロンモジュール１３１に案内され、埃分離過程が再実行される。
【０２４６】
前記サイクロンモジュール１３１で空気と分離された埃は、前記埃排出部１３５を通じて排出された後下方に流動して前記第２埃貯蔵部１２３に貯蔵される。反面、前記サイクロンモジュール１３１で埃と分離された空気は、前記空気出口１４５を通じて前記排出ガイド２８に排出される。
【０２４７】
前記排出ガイド２８から排出された空気は、前記排出ガイド２８に沿って流動した後、前記下部モータハウジング２７を通過して前記流動ガイド２２内の第１空気流路２３２に沿って上昇する。そして、前記第１空気流路２３２の空気は、前記プレフィルタ２９を通過する。
【０２４８】
前記プレフィルタ２９を通過した空気は、前記上部モータハウジング２７内の吸入モータ２０を通過する。空気は、前記インペラ２００によって前記吸入モータ２０内部を流動した後、前記下部モータハウジング２８に排出される。そして、前記下部モータハウジング２８から排出された空気は、前記第２空気流路２３４に流動する。
【０２４９】
そして、前記第２空気流路２３４に流動された空気は、前記フィルタ機構５０を通った後、前記空気排出口５２２を通じて外部に排出される。
【０２５０】
図１６は、本発明の一実施例に係る掃除機の本体からガイドユニットが分離される様子を見せる縦断面図である。
【０２５１】
図１６を参照すると、ペットを飼っている場合には、ペットの毛が床に存在する場合がある。このようなペットの毛や髪の毛のような異質物を前記掃除機１を利用して床から除去することができる。
【０２５２】
すると、前記ダストボックス１２０内でペットの毛や髪の毛のような異質物は、前記ガイドユニット１６０の周りに巻かれたり、前記ダストボックス１２０の内周面に付着して前記ダストボックス１２０内でかたまった状態で存在する場合がある。
【０２５３】
この状態で、前記ダストボックス１２０のボディカバー１６を回転させる場合、前記ダストボックス１２０内の埃は、前記ダストボックス１２０に排出される。しかし、前記ボディカバー１６が回転しても、ペットの毛や髪の毛のような異質物は、前記ダストボックス１２０内に残存する。
【０２５４】
このような残存異質物は、前記ガイドユニット１６０を前記本体２から分離される過程で除去される。
【０２５５】
具体的に、図１６のように前記ガイドユニット１６０の最上側で、前記掃除部１６９が前記ダストボックス１２０の内周面と接触するか、前記ダストボックス１２０の内周面と隣接するように位置される。
【０２５６】
よって、前記ガイドユニット１６０を前記本体２から下方に分離させる過程で、前記ダストボックス１２０内の異質物が前記掃除部１６９に引っかかることになる。前記掃除部１６９に引っかかった異質物は、前記ガイドユニット１６０と一緒に前記本体２から外部に引出される。
【０２５７】
本発明によれば、使用者が前記ダストボックス１２０内の髪の毛のような異質物を直接取出したり前記ダストボックス１２０の内周面を掃除する過程なしに、前記ガイドユニット１６０の分離過程で異質物を前記ダストボックス１２０から排出させることができるので、使用者の便宜性が向上する長所がある。
【図１】
2019523118.tif 000003
【図２】
2019523118.tif 000004
【図３】
2019523118.tif 000005
【図４】
2019523118.tif 000006
【図５】
2019523118.tif 000007
【図６】
2019523118.tif 000008
【図７】
2019523118.tif 000009
【図８】
2019523118.tif 000010
【図９】
2019523118.tif 000011
【図１０】
2019523118.tif 000012
【図１１】
2019523118.tif 000013
【図１２】
2019523118.tif 000014
【図１３】
2019523118.tif 000015
【図１４】
2019523118.tif 000016
【図１５】
2019523118.tif 000017
【図１６】
2019523118.tif 000018
【国際調査報告】
2019523118.tif 000019
2019523118.tif 000020
2019523118.tif 000021
2019523118.tif 000022
2019523118.tif 000023
2019523118.tif 000024
2019523118.tif 000025
2019523118.tif 000026